(57)【要約】【課題】間仕切ユニットＵを構成する間仕切壁Ｗの破損の可能性の高いドア部分の縦枠１を容易に交換することができない。【解決手段】天井躯体に固定した天井固定桟４と壁躯体に固定した縦柱固定桟５からなる下地材に、両端の縦柱１とそれをつなぐ上柱２と中鴨居３からなる枠組の柱間に内装設備を設けた間仕切壁Ｗを複数横方向に並設し金具ややとい実等で固定して得られる間仕切ユニットＵにおいて、一部の間仕切壁Ｗの内装設備は縦柱１と横柱３と床面で形成される開口部にドアが設けられたドア設備Ｄであって、当該間仕切壁Ｗの縦柱１の表面を被覆するように縦枠６が細溝６３を通してビス止めされカバー材６１でカバーされ、見栄えがよく、縦枠６が傷ついた場合も簡単に交換できる間仕切ユニットＵが得られる。【選択図】図６
2017193855.tif 000002
【特許請求の範囲】
【請求項１】
天井躯体に固定した天井固定桟と壁躯体に固定した縦柱固定桟からなる下地材に、両端の縦柱とそれをつなぐ複数本の横柱からなる枠組の柱間に内装設備を設けた間仕切壁を複数横方向に並設し固定して得られる間仕切ユニットにおいて、一部の間仕切壁の内装設備は縦柱と横柱と床面で形成される開口部にドアが設けられたドア設備であって、当該間仕切壁の縦柱の表面を被覆するように縦枠が固定されていることを特徴とする間仕切ユニット。
【請求項２】
一部の内装設備が収納棚であることを特徴とする請求項１に記載の間仕切ユニット。
【請求項３】
収納棚の背面にガラスが嵌め込まれたことを特徴とする請求項２に記載の間仕切ユニット
【発明の詳細な説明】
【技術分野】
【０００１】
本発明は、ドア部分の縦枠が容易に交換できる間仕切ユニットに関するものである。
【背景技術】
【０００２】
従来、学校等の建物内において、廊下と教室を間仕切る間仕切壁は、出入り口、窓部、壁面、収納棚を一体化したユニットが用いられている。
【０００３】
しかし、これらのユニットは、金属製建具を主体とするものであって、機能性だけの殺風景なものであったが、近年、ぬくもりを感じる木質材料を用いた間仕切ユニットが用いられるようになった。
【０００４】
例えば、特許文献１には、天井面と床面に木治具レールを敷設し、サッシュ窓や木製パネルを嵌込んだ門型の木製間仕切壁を木治具レール間に嵌込み、あるいは、床面の木治具レールを敷居レールとして引戸を嵌め込んだ門型の木製間仕切壁によって、迅速かつ容易に木製の間仕切ユニットを形成することができる。
【０００５】
しかし、多くの子供が走り回る学校施設では、教室や廊下の壁や戸が破損する場合も多く、特に出入り口の引戸は頻繁かつ乱暴に開け閉めされたり、物をぶつけたりすることで、木製の縦枠が傷付き、著しくはひびが入ったり割れたりする場合もある。
【０００６】
このような場合、特許文献１の各図面を見ればわかるように、木製間仕切壁は、枠が縦勝ち（縦枠で横枠を挟み込む）に形成されており、衝突し易く破損の可能性が極めて高い縦枠を交換するには、木製間仕切壁（引戸の枠部分）全体を取り外し分解して交換するため、手間と費用が極めてかかる。
【先行技術文献】
【特許文献】
【０００７】
【特許文献１】特開平７−４８８８９号公報
【発明の概要】
【発明が解決しようとする課題】
【０００８】
本発明は、特に学校施設のように破損の可能性の高いドア部分の縦枠を容易に補修交換できないという問題点に鑑みてなされた発明であり、その目的は、ドア部分の縦枠を容易に交換することができ、付随的には施工性を高めることができる間仕切ユニットに関するものである。
【課題を解決するための手段】
【０００９】
第１の発明は、天井躯体に固定した天井固定桟と壁躯体に固定した縦柱固定桟からなる下地材に、両端の縦柱とそれをつなぐ複数本の横柱からなる枠組の柱間に内装設備を設けた間仕切壁を複数横方向に並設し固定して得られる間仕切ユニットに関するもので、間仕切ユニットを構成する一部の間仕切壁の内装設備は縦柱と横柱と床面で形成される開口部にドアが設けられたドア設備であって、当該間仕切壁の縦柱の表面を被覆するように縦枠が固定されていることを特徴とする。
【００１０】
第１の発明では、間仕切ユニットの一部に設けられたドア設備の開口部の縦柱にその表面を被覆するように縦枠が固定されているので、縦枠の交換が容易に行える。
【００１１】
第２の発明は、請求項１に記載の間仕切ユニットの一部の内装設備が収納棚であることを特徴とする。
【００１２】
第２の発明では、間仕切ユニットに最初から収納棚が組み込まれるので、後から収納工事を行う必要がない。
【００１３】
第３の発明は、請求項２に記載の収納棚の背面側にガラスが嵌め込まれたことを特徴とする。
【００１４】
第３の発明では、収納棚を設けても採光を得ることができ、通路側に向けて陳列棚にもなる。
【発明の効果】
【００１５】
本発明によると、縦柱の表面を被覆するように縦枠を固定することで、表面に出ている縦枠が傷付き、ひびが入ったり割れたりした際に縦枠の交換が容易に行える。また、縦枠は目に見える表面部分だけなので、交換のコストも安くなる。さらに、間仕切壁を立てた後に縦枠を現場の寸法に合わせて調整できるので縦柱を床面まで正確にカバーできるので、意匠性が良くなる。
【００１６】
また、従来は窓のあった部分の有効活用として、収納棚を設けることで、収納スペースを増やすことができ、間仕切ユニットに最初から収納棚が組み込まれるので、後から別に収納工事を行う必要がない。
【００１７】
さらに、収納棚の背面にガラスを設け嵌め込めば、室内の空調を快適に調整でき、廊下側からの採光を得ることができ、通路側に向けて生徒の作品等の陳列棚にもなる。また、通路側からいたずらされたり盗られたりすることを防止できる。
【図面の簡単な説明】
【００１８】
【図１】本発明の間仕切壁を複数横方向に並設し躯体に固定して得られる間仕切ユニットの正面図である。
【図２】図１の間仕切壁に内装設備を設けた間仕切ユニットの正面図である。
【図３】内装設備を省略して縦柱と横柱だけを示した間仕切壁の正面図である。
【図４】図３の縦柱を被覆するように縦枠を固定した間仕切壁の正面図である。
【図５】図３のＡ−Ａ線断面図である。
【図６】図４のＡ−Ａ線断面図である。
【図７】縦枠の斜視図である。
【図８】収納棚の背面にガラスを挿入する斜視図である。
【図９】収納棚の背面のガラスの固定方法の模式図である。
【発明を実施するための形態】
【００１９】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２０】
図１は、本発明の間仕切壁Ｗを複数横方向に並設し躯体に固定して得られる間仕切ユニットＵの正面図である。図１では、間仕切ユニットＵの骨組み（縦柱、横柱）が明確にわかるように、枠組の柱間に設ける内装設備を省略した。両端の縦柱１を横柱（上枠２、中鴨居３、３‘）でビス等を用いて接合した間仕切壁Ｗの柱間の空間に後述する内装設備を設けた後立設させ、上枠２を天井躯体に固定した天井固定桟４に天井固定金具２１で固定すると共に、床面の不陸を縦柱１の下端に設けたアジャスター１３で高さ調整のうえ、床固定金具１２で床面に固定する。
【００２１】
間仕切壁Ｗは、複数（図１、２では４台）立設するが、端部にもうける間仕切壁Ｗの端部側の縦枠１を壁躯体に固定した縦柱固定桟５に壁固定金具１１で固定すると共に、他方側の縦枠１を隣接する間仕切壁Ｗの縦枠１とをやとい実等で接合し、同様の作業を残り２台の間仕切壁Ｗに施すことで、図１に記載の間仕切ユニットＵにより部屋と廊下を仕切ることができる。
【００２２】
図２は、間仕切壁Ｗにおいて、間仕切壁Ｗを構成する両端の縦柱１とそれをつなぐ上枠２と中鴨居３、３‘からなる枠組の柱間に内装設備を設けた状態の図であり、最終完成した間仕切ユニットＵの正面図である。ここで内装設備とは、ドア設備Ｄ、収納棚Ｓ、上窓Ｍが示されるが、その他普通の壁部分や腰壁と窓部分等、種々の設備が考えられる。
【００２３】
図３は、間仕切壁Ｗでドア設備Ｄを形成する場合を示すが、図面を見易くするため。内装設備（引戸）を省略して縦柱と横柱だけを示し、長尺部分を省略して一つの図面に収まるようにして間仕切壁Ｗの正面図を表した。以後、図６までは同様の方法で記載しており、その部分については説明を省略する。
【００２４】
図４は、図３において、縦柱１に化粧柱としての縦枠６を被覆した状態の正面図である。図５は、図３のＡ−Ａ線断面図であり、図６は、図５において、縦柱１に化粧柱としての縦枠６を被覆したものである。図７は、ここで使用する縦枠６の詳細を示したものであり、縦枠６の裏面側には、縦柱１を被覆するための略同形状の凹部を設けている。表面側には細溝６３が設けられており、図４、図６に示すように縦柱１に縦枠６を被覆した後、細溝６３からビス等を打ち込んで固定し、細溝部分６３にカバー材（パッキン）６１を充填することで、ビスを隠すと共に施工後の引戸の戸当りとしても使用ができる。縦枠６の下端部で、縦柱１を床面に固定している床固定金具１２やアジャスター１３が隠れるので、意匠性に優れた間仕切ユニットＵが得られる。
【００２５】
図８は収納棚Ｓの展示棚部分の背面（廊下側）にガラスを嵌め込む。ガラスの固定方法としては種々考えられるが、例えば、展示棚部分の廊下側端部に溝を設けてガラスを矢印のように一方からスライドさせ、定位置に配置した後、図９に示すように側板部押さえ部材９２で横方向の溝を押さえ、天板裏側に天板部押さえ部材９１で押さえることで、ガラスを固定する。なお、展示棚部分の棚板、仕切り板の位置に合わせて裏面のガラス上から飾り棒を両面テープで貼り付けることで、廊下側からでも見栄えよく展示物を見ることができる。
【産業上の利用可能性】
【００２６】
以上説明したように、本発明は、ドア部分の縦枠を容易に交換することができる間仕切ユニットに関して有用である。
【符号の説明】
【００２７】
Ｕ          床下空間
Ｗ          床上空間
Ｄ         ドア設備
Ｓ          収納棚
１          縦柱
２          横柱（上枠）
３、３‘    横柱（中鴨居）
４          天井固定桟
５          縦柱固定桟
６          縦枠
６３        カバー材
【図１】
2017193855.tif 000003
【図２】
2017193855.tif 000004
【図３】
2017193855.tif 000005
【図４】
2017193855.tif 000006
【図５】
2017193855.tif 000007
【図６】
2017193855.tif 000008
【図７】
2017193855.tif 000009
【図８】
2017193855.tif 000010
【図９】
2017193855.tif 000011